(57)【要約】【課題】画像の撮影からグッズ注文までを撮影装置で完結できるような仕組みを提供する。また、撮影装置のユーザが、グッズの完成状態を撮影時に具体的にイメージでき、より適切な注文を可能にする。【解決手段】テンプレート撮影モードでは、スルー画像と選択されたカメラ用テンプレートを重畳して液晶パネル７１に表示し、本撮像指示に応じて記録用画像を取得する。選択されたカメラ用テンプレートに対応づけてフラッシュメモリ１５２などに記憶されたグッズ作成用テンプレートの識別情報（テンプレートＩＤ）と、記録された画像と、編集情報とを含む注文情報を作成し、当該注文情報をＨＤＤ７５などに一時的に保存し、アクセスポイント７の通信範囲に入った場合、注文情報を注文サーバに送信する。【選択図】  図６
2009239486.tif 000002
【特許請求の範囲】
【請求項１】
撮像レンズによって結像した被写体像を撮像素子により継続的に光電変換することで画像を継続的に取得可能な撮像部と、
本撮像指示の入力に応じて記録用の画像を取得するよう前記撮像部を制御し、前記撮像部の取得した記録用の画像を所定の記録媒体に記録する記録制御部と、
前記記録用の画像とグッズ作成用テンプレートとを用いて作成されるグッズの仕上がり状態を、前記撮像部が継続的に取得するスルー画像とともに示すためのデータである撮像時テンプレートを取得する撮像時テンプレート取得部と、
前記撮像時テンプレート取得部の取得した撮像時テンプレートのうち、所望の撮像時テンプレートを選択する選択部と、
前記選択部の選択した所望の撮像時テンプレートを、前記スルー画像に重畳して表示装置に表示する表示制御部と、
を備える撮像装置。
【請求項２】
前記記録用の画像と前記選択した撮像時テンプレートに対応するグッズ作成用テンプレートの識別情報とを含むグッズ作成用情報を作成するグッズ作成用情報作成部と、
前記グッズ作成用情報を出力するグッズ作成用情報出力部と、
を含む請求項１に記載の撮像装置。
【請求項３】
前記グッズ作成用情報出力部は、前記グッズ作成用情報を所定のグッズ作成装置に送信する請求項２に記載の撮像装置。
【請求項４】
前記所定の記録媒体に記録された記録用の画像に対する編集の内容を示す編集情報を出力する編集部を備え、
前記グッズ作成用情報作成部は、前記記録用の画像と前記選択した撮像時テンプレートに対応するグッズ作成用テンプレートの識別情報と前記編集情報とを含むグッズ作成用情報を作成する請求項２または３に記載の撮像装置。
【請求項５】
前記撮像時テンプレート取得部は、前記撮像時テンプレートを格納した所定のテンプレートサーバまたは前記所定のテンプレートサーバから前記撮像時テンプレートを取得可能な電子機器にアクセスし、前記撮像時テンプレートを受信する請求項１〜４のいずれかに記載の撮像装置。
【請求項６】
撮像装置が取得した記録用の画像とグッズ作成用テンプレートとを用いて作成されるグッズの仕上がり状態を、前記撮像装置が継続的に取得するスルー画像とともに示すためのデータである撮像時テンプレートを取得するステップと、
前記取得した撮像時テンプレートのうち、所望の撮像時テンプレートを選択するステップと、
前記選択した所望の撮像時テンプレートを、前記スルー画像に重畳して前記撮像装置の表示装置に表示するステップと、
前記記録用の画像を取得するステップと、
を含む撮像方法。
【請求項７】
前記記録用の画像と前記選択した撮像時テンプレートに対応するグッズ作成用テンプレートの識別情報とを含むグッズ作成用情報を作成するステップと、
前記グッズ作成用情報を出力するステップと、
を含む請求項６に記載の撮像方法。
【請求項８】
請求項６または７に記載の撮像方法をコンピュータに実行させるプログラム。
【請求項９】
請求項２〜４のいずれかに記載の撮像装置と、
前記撮像装置のグッズ作成用情報出力部から出力されたグッズ作成用情報を入力し、前記グッズ作成用情報を前記グッズ作成用情報の識別情報と対応づけてデータベースに格納するグッズ作成装置と、
を備えるグッズ作成システム。
【請求項１０】
前記グッズ作成装置は、前記グッズ作成用情報に含まれる画像と、前記グッズ作成用情報に含まれる前記グッズ作成用テンプレートの識別情報で特定されるグッズ作成用テンプレートとに基づき、グッズ作成用画像を作成する請求項９に記載のグッズ作成システム。
【発明の詳細な説明】
【技術分野】
【０００１】
本発明は、画像を基に作成される各種グッズの注文に関する。
【背景技術】
【０００２】
特許文献１によると、カメラは、撮影コマ格納用メモリと転送画像データ用メモリとを持ち、撮像された画像データを自動的にラボ店に転送する。ラボ店では、画像データを識別データに基づき画像記録ファイルに記憶する。そして、画像データとプリント指示データとに基づきデジタルプリントする。撮影のたびに画像データを転送するので、記憶容量を気にすることなく、無制限に多数のコマを撮像することができる。２コマ分の記憶容量でよいので、その分だけ１コマ分の画像データ数を増やすことができ、高画質になる。データ転送するので迅速にハードコピィが得られる。
【特許文献１】特開平９−３２２１１４号公報
【発明の開示】
【発明が解決しようとする課題】
【０００３】
近年、任意の画像を利用した付加価値商材（アルバム、Ｔシャツ、マグカップなど。以下、グッズと称す）の注文が増加している。このため、ユーザが、グッズに用いるための画像を撮影する機会も増加している。
【０００４】
グッズの注文をするには、特許文献１のように、画像を撮影し、撮影した画像を撮影装置からパソコンなどに取り込み、パソコンの編集ツールを用いてグッズのテンプレートと画像の合成や編集作業を行い、合成した画像を注文のために出力するという作業が必要であり、煩雑であった。
【０００５】
本発明は、画像の撮影からグッズ注文までを撮影装置で完結できるような仕組みを提供する。また、本発明は、撮影装置のユーザが、グッズの完成状態を撮影時に具体的にイメージでき、より適切な注文を可能にする。
【課題を解決するための手段】
【０００６】
本発明に係る撮像装置は、撮像レンズによって結像した被写体像を撮像素子により継続的に光電変換することで画像を継続的に取得可能な撮像部と、本撮像指示の入力に応じて記録用の画像を取得するよう撮像部を制御し、撮像部の取得した記録用の画像を所定の記録媒体に記録する記録制御部と、記録用の画像とグッズ作成用テンプレートとを用いて作成されるグッズの仕上がり状態を、撮像部が継続的に取得するスルー画像とともに示すためのデータである撮像時テンプレートを取得する撮像時テンプレート取得部と、撮像時テンプレート取得部の取得した撮像時テンプレートのうち、所望の撮像時テンプレートを選択する選択部と、選択部の選択した所望の撮像時テンプレートを、スルー画像に重畳して表示装置に表示する表示制御部と、を備える。
【０００７】
好ましくは、記録用の画像と選択した撮像時テンプレートに対応するグッズ作成用テンプレートの識別情報とを含むグッズ作成用情報を作成するグッズ作成用情報作成部と、グッズ作成用情報を出力するグッズ作成用情報出力部と、を含む。
【０００８】
好ましくは、グッズ作成用情報出力部は、グッズ作成用情報を所定のグッズ作成装置に送信する。
【０００９】
好ましくは、所定の記録媒体に記録された記録用の画像に対する編集の内容を示す編集情報を出力する編集部を備え、グッズ作成用情報作成部は、記録用の画像と選択した撮像時テンプレートに対応するグッズ作成用テンプレートの識別情報と編集情報とを含むグッズ作成用情報を作成する。
【００１０】
こうすると、撮像装置で指定された編集内容（色調変更、トリミングなど）あるいは撮像装置で実際に施された編集内容をグッズの作成に反映できる。
【００１１】
好ましくは、撮像時テンプレート取得部は、撮像時テンプレートを格納した所定のテンプレートサーバまたは所定のテンプレートサーバから撮像時テンプレートを取得可能な電子機器にアクセスし、撮像時テンプレートを受信する。
【００１２】
好ましくは、撮像装置が取得した記録用の画像とグッズ作成用テンプレートとを用いて作成されるグッズの仕上がり状態を、撮像装置が継続的に取得するスルー画像とともに示すためのデータである撮像時テンプレートを取得するステップと、取得した撮像時テンプレートのうち、所望の撮像時テンプレートを選択するステップと、選択した所望の撮像時テンプレートを、スルー画像に重畳して撮像装置の表示装置に表示するステップと、記録用の画像を取得するステップと、を含む。
【００１３】
好ましくは、記録用の画像と選択した撮像時テンプレートに対応するグッズ作成用テンプレートの識別情報とを含むグッズ作成用情報を作成するステップと、グッズ作成用情報を出力するステップと、を含む。
【００１４】
上記の撮像方法をコンピュータに実行させるプログラムも本発明に含まれる。
【００１５】
この撮像装置と、撮像装置のグッズ作成用情報出力部から出力されたグッズ作成用情報を入力し、グッズ作成用情報をグッズ作成用情報の識別情報と対応づけてデータベースに格納するグッズ作成装置と、を備えるグッズ作成システムも本発明に含まれる。
【００１６】
好ましくは、グッズ作成装置は、グッズ作成用情報に含まれる画像と、グッズ作成用情報に含まれるグッズ作成用テンプレートの識別情報で特定されるグッズ作成用テンプレートとに基づき、グッズ作成用画像を作成する。
【００１７】
すなわち、本発明に係る撮像装置のユーザは、画像の撮影から注文までを撮像装置だけで完結することができるから、ユーザは、撮影は撮像装置で実施し、編集時に撮像装置から画像データをパソコンなどに読み取らせて編集処理を行うという手間が省け、撮影からグッズ提供までの時間が短縮される。
【００１８】
また、ユーザは、撮像時テンプレートに重畳されたスルー画像を見ながら、グッズの仕上がり具合を本撮像に先立って確認できる。これにより、より満足度の高いグッズが完成することが期待される。
【発明の効果】
【００１９】
本発明に係る撮像装置のユーザは、画像の撮影から注文までを撮像装置だけで完結することができるから、ユーザは、撮影は撮像装置で実施し、編集時に撮像装置から画像データをパソコンなどに読み取らせて編集処理を行うという手間が省け、撮影からグッズ提供までの時間が短縮される。
【００２０】
また、ユーザは、撮像時テンプレートに重畳されたスルー画像を見ながら、グッズの仕上がり具合を本撮像に先立って確認できる。これにより、より満足度の高いグッズが完成することが期待される。
【発明を実施するための最良の形態】
【００２１】
以下、添付した図面を参照し本発明の好ましい実施形態を説明する。図１は本発明の好ましい実施形態に係るグッズ注文システムの構成図である。このシステムは、デジタルカメラ１００と、カメラ１００と有線または無線のネットワーク５で接続されたテンプレートサーバ４００および注文サーバ３００とを含む。
【００２２】
アクセスポイント７は、デジタルカメラ１００をネットワーク５に無線接続するための中継機器である。図示したアクセスポイント７は１つであるが、複数あってもよく、いずれかの通信エリア内にカメラ１００が入れば、これと無線で接続し、カメラ１００をネットワーク５につなぐ。
【００２３】
注文サーバ３００、テンプレートサーバ４００は、それぞれ、入力操作手段（キーボード、マウスその他のポインティングデバイス、タッチパネルなど）、表示手段（液晶ディスプレイなど）、通信手段（ネットワークカードなど）、情報処理手段（ＣＰＵ、マイクロコンピュータなど）、記憶手段（ＲＡＭ、ＲＯＭ、ハードディスク、ＣＤ−ＲＷその他着脱可能な各種記録メディア）、情報読み取り／書き込み手段（ＣＤ−ＲＷドライブなど）の全部または一部を備えたパソコンなどで構成される。
【００２４】
テンプレートサーバ４００は、注文サーバ３００に格納されている各グッズの作成用テンプレートの識別情報（テンプレートＩＤ）と対応づけられたカメラ用テンプレートを保存するカメラ用テンプレートデータベース４００ａを、図示しないハードディスクユニットなどに記憶している。
【００２５】
カメラ用テンプレートとは、ユーザが任意に指定した画像を利用した付加価値商材（グッズ）の仕上がり状態をスルー画像とともに示すための画像データである。カメラ用テンプレートは、グッズの作成に実際に用いられるグッズ作成用テンプレートと同様のデザインであるが、グッズ作成用テンプレートとはデータ的に区別される。なぜなら、デジタルカメラ１００にファイルサイズの大きいグッズ作成用テンプレートをそのまま送信すると、処理の負担が大きく実際的でないからである。
【００２６】
図２はカメラ用テンプレートの一例を示す。グッズとは、画像をプリントしたＴシャツ、マグカップ、写真アルバムなどであり、異なる柄の２種類のＴシャツに対応するカメラ用テンプレートＴ１・Ｔ３、アルバムに対応するカメラ用テンプレートＴ２、マグカップに対応するテンプレートＴ４がある。
【００２７】
各カメラ用テンプレートは、各々、スルー画像の全部または一部をはめ込んで重畳するための重畳表示領域を有している。この図では例えば、テンプレートＴ１はＺ１−１という１つの領域、Ｔ２はＺ２−１〜Ｚ２−５という５つの領域、Ｔ３はＺ３−１という１つの領域、Ｔ４はＺ４−１という１つの領域を重畳表示領域として有している。当該重畳表示領域の位置情報はカメラ用テンプレートの付帯情報として画像ファイルのヘッダなどに記録されている。カメラ１００は、この位置情報を読み取って、重畳表示領域にスルー画像をはめ込むことができる。
【００２８】
テンプレートの表示は平面に限らず、３次元コンピュータグラフィックス（３次元ＣＧ）表示でもよい。これは例えば、３次元空間内に定義されたマグカップを複数のポリゴン（多角形）の集合によって表現し、これをカメラ用テンプレートＴ４とする。重畳表示領域のポリゴンにスルー画像の対応領域を貼り付けるテクスチャマッピングを行えば、スルー画像もテンプレートとともに仮想的３次元表示をすることができる。スルー画像表示の際にこのような特殊な画像処理をＣＰＵ２０に実施させるためのデータ・プログラムもカメラ用テンプレートに含まれる。
【００２９】
図３はカメラ用テンプレートデータベース４００ａに格納されるカメラ用テンプレート情報の概念説明図である。カメラ用テンプレート情報には、対応するグッズ作成用テンプレートの識別情報（テンプレートＩＤ）とカメラ用テンプレートの画像データが含まれており、これらが対応づけられている。
【００３０】
図４は注文サーバ３００の注文データベース３００ａに格納される注文情報の概念説明図である。注文情報は、グッズ注文の識別情報（注文ＩＤ）、グッズの注文対象となるユーザ所望のグッズ作成用テンプレートの識別情報（テンプレートＩＤ）、グッズの作成に用いられる画像のデータ、トリミング範囲や色補正情報などの編集情報、注文者（典型的にはカメラ１００のユーザ）に関する個人情報、例えば電子メールアドレスやユーザＩＤなどが含まれており、これらが対応づけられている。注文者の個人情報は、予めフラッシュメモリ１５２などに登録されており、注文情報の作成の都度、最新の個人情報が取得され、これが注文情報に加えられる。
【００３１】
この注文情報は、カメラ１００からアクセスポイント７およびネットワーク５経由で、あるいは後述のメモリカード２００その他のリムーバブルメディアを経由で注文サーバ３００に入力される。
【００３２】
典型的には、注文サーバ３００は、写真プリント店に備えられている。ただし、自宅でグッズを作成する環境を想定した場合は、注文サーバ３００はカメラユーザ自身が保有していてもよい。この場合、注文サーバ３００とは、不特定多数のユーザからではなくカメラユーザ自身の注文を受け付けるサーバであり、カメラユーザ自身が保有するパソコンやプリンタで構成されうる。
【００３３】
図５はカメラ１００のブロック構成図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３４】
モードダイヤル１２３の回動により指定可能な撮像モードの種類には、例えば、静止画を撮像する静止画の撮像モードと、動画を撮像する動画の撮像モードとがあり、更に静止画の撮像モードには、シャッタスピード、絞り値等の撮像条件を自動で設定するオートモード、それらの撮像条件の設定をマニュアルで行うマニュアルモード、人物撮像、風景撮像、スポーツ撮像、夜景撮像のように各撮像シーンに応じて適切なシャッタスピード、絞り値、露出値、ホワイトバランスその他の撮像条件に自動設定する各撮像モード（人物モード、ポートレート撮像モード、風景モード、スポーツモード、夕景モード、夜景モード）などがある。
【００３５】
また、カメラ１００には、撮影画像や再生画像等を表示するための画像表示ＬＣＤ１０２と、操作の手助けを行なうための操作ＬＣＤ表示１０３が備えられている。
【００３６】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００３７】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３８】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３９】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００４０】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００４１】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００４２】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００４３】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４４】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００４５】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４６】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００４７】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００４８】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４９】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００５０】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００５１】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００５２】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００５３】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５４】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５５】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００５６】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００５７】
なお、セルフタイマランプ１０５ｃはＬＥＤで構成してもよく、ＡＦ補助光ランプ１０５ｂを構成するＬＥＤと共通にしてもよい。
【００５８】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５９】
通信制御部１３９には、通信ポート１０７が備えられており、この通信制御部１３９は、通信ポート１０７と接続されたアクセスポイント７ないしネットワーク５を経由して、各種の制御情報などを注文サーバ３００、テンプレートサーバ４００その他の外部装置との間で無線通信する。通信ポート１０７とアクセスポイント７ないしネットワーク５との接続形態は、赤外線通信、Bluetooth、無線ＬＡＮなどの各種無線通信、あるいは有線通信である。
【００６０】
また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００６１】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００６２】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディア、ハードディスク（ＨＤＤ）７５のような内蔵型大容量記憶媒体、あるいはフラッシュメモリ１５２に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００６３】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６４】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００６５】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００６６】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００６７】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６８】
ＲＴＣ（Real Time Clock）１５は計時専用のチップであり、電源電池６８やＡＣアダプタ４８からの給電がオフされていてもバックアップ電池から電源供給を受けて継続的に動作する。
【００６９】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００７０】
なお、カメラ１００とは、少なくとも撮像機能を有していれば何でもよく、例えばカメラ付き携帯電話やカメラ付きパソコンであってもよい。
【００７１】
以下、図６のフローチャートを参照し、本システムの実施する注文処理の流れを説明する。この処理は、メインＣＰＵ２０によって制御される。この各ステップをメインＣＰＵ２０に実行させるプログラムは、フラッシュメモリ１５２、ＨＤＤ７５、ＲＡＭ１４９、メモリカード２００その他のコンピュータ読み取り可能な記録媒体に記録されているか、通信ポート１０７を介して所定のサーバやパソコンから受信しそれを起動することができる。
【００７２】
Ｓ１では、カメラ１００の電源スイッチ１２１がオンされたことに応じ、各ブロックに電源が供給され、カメラ１００が起動する。
【００７３】
Ｓ２では、テンプレート撮影モードまたは通常撮影モードの選択を受け付ける。テンプレート撮影モードの選択を受け付けた場合はＳ３に進む。通常撮影モードの選択を受け付けた場合は、Ｓ３には進まず、撮影モードの起動と同時に通常のスルー画像を表示し、本撮影指示に従った撮影を行う。
【００７４】
Ｓ３では、フラッシュメモリ１５２内に格納されたカメラ用テンプレートの有無を確認する。フラッシュメモリ１５２内にテンプレート情報が格納されていない場合はＳ４、格納されている場合はＳ５に進む。
【００７５】
Ｓ４では、メモリカード２００その他のリムーバブルメディアや、通信ポート１０７を介して接続されたテンプレートサーバ４００から、カメラ用テンプレートを取得する。つまり、テンプレートサーバ４００においてリムーバブルメディアに予めカメラ用テンプレートを書き込んでおき、当該リムーバブルメディアをデジタルカメラ１００に接続してカメラ用テンプレートを読み込ませるか、デジタルカメラ１００が通信ポート１０７を介してテンプレートサーバ４００に直接アクセスし、カメラ用テンプレートＤＢ４００ａのカメラ用テンプレートおよび対応するテンプレートＩＤを取得する。取得したカメラ用テンプレートは、対応するテンプレートＩＤとともに、フラッシュメモリ１５２やＨＤＤ７５その他の不揮発性記録媒体（電源がオフされても情報を保持する記録媒体）に格納される。ただし、取得したカメラ用テンプレートは、少なくとも注文処理が完了するまでカメラ１００に保持されていれば足り、それ以外の場合も常時保持しておくことを強制するのではない。また、カメラ１００自体がテンプレートサーバ４００に直接接続する必然性はなく、別の電子機器例えばパソコンや携帯電話を介して間接的にテンプレートサーバ４００に接続してもよい。例えば、テンプレートサーバ４００からカメラ用テンプレートを取得済みのパソコンにＵＳＢなどの通信手段を介して接続し、当該パソコンからカメラ用テンプレートをダウンロードしてもよい。あるいは、カメラ１００がパソコンにテンプレートのダウンロードを依頼するコマンドを発行し、パソコンが当該コマンドの受領に応じてテンプレートサーバ４００にアクセスしてテンプレートをダウンロードし、これをそのままカメラ１００に転送してもよい。
【００７６】
Ｓ５では、撮影準備動作（スルー画像を表示して本撮影指示を待機する）の際にスルー画像と重畳して表示するカメラ用テンプレートの選択を受け付ける。例えば、フラッシュメモリ１５２にＴシャツのカメラ用テンプレートＴ１・Ｔ３、アルバムのカメラ用テンプレートＴ２、マグカップのカメラ用テンプレートＴ４が格納されていれば、これらを十字キー１２４の左右ボタンの押下に従って順次表示し、いずれか１つのカメラ用テンプレートが表示された状態で情報位置指定キー１２６が押下された場合、当該表示されているカメラ用テンプレートの選択を受け付けたものとする。
【００７７】
Ｓ６では、スルー画像にカメラ用テンプレートを重畳して液晶パネル７１に表示する。例えば図７（ａ）の被写体のスルー画像が取得され、かつＳ５でＴシャツに対応するカメラ用テンプレートが選択された場合、図７（ｂ）に示すように、Ｔシャツのカメラ用テンプレートの重畳表示領域Ｚ１内に、被写体のスルー画像の全部または一部が配置され、両者が重畳された状態で液晶パネル７１に表示される。
【００７８】
重畳表示領域に重畳するスルー画像は、全部でなくてもよく、ユーザが任意に指定したあるいは顔検出機能などで自動検出された一部領域であってもよい。例えば、図７（ｃ）に示すように、重畳すべきスルー画像の部分領域を指定する外枠Ｆの位置およびサイズを、操作部１２０の入力操作に応じて変更すれば、その枠Ｆ内に含まれるスルー画像の部分領域のみが重畳表示領域に配置される（図７（ｂ））。この際、切り出したスルー画像の部分領域のサイズが重畳表示領域のサイズと適合するよう拡大または縮小処理を施してもよい。この切り出し範囲とサイズの拡縮内容を、後述する記録用画像の編集情報に流用してもよい。なお、スルー画像の切り出し範囲とサイズを決めるための操作手順は、ズーム倍率を変更する操作手順と区別されているものとする。
【００７９】
また、上述のように、カメラ用テンプレートがポリゴンであれば、重畳表示領域のポリゴンにスルー画像の対応領域をテクスチャマッピングし、仮想的な立体表示を実施する。
【００８０】
さらに、テンプレートにスルー画像が重畳されて表示された状態（図７（ｂ））と、スルー画像のみが表示された状態（図７（ｃ））とを、操作部１２０の操作で切り替え可能にしてもよい。
【００８１】
あるいは、カメラ用テンプレートの重畳表示領域にスルー画を入れるのではなく、カメラ用テンプレートの全体とスルー画像の全体を重ね合わせ、その際スルー画像とカメラ用テンプレートの重畳表示領域とが重複する部分、および、テンプレートの図柄が存在しない周縁部分は、スルー画像を優先して表示し、それ以外の部分は、テンプレートの図柄だけを表示するようにしてもよい。こうすると、テンプレートの重畳表示領域がのぞき窓あるいはかきわりのような状態となるため、スルー画像と重畳表示領域の位置調整をしなくて済み、簡単にグッズの仕上がり具合を確認できる。テンプレートの重畳表示領域にスルー画像がはめ込まれて表示された状態と、テンプレートの全体とスルー画像の全体とを重ね合わせた状態とを、操作部１２０の操作で切り替え可能にしてもよい。
【００８２】
ユーザは、図７（ｂ）のようなテンプレートに重畳されたスルー画像を見ながら、グッズの仕上がり具合を本撮像に先立って確認できる。これにより、より満足度の高いグッズが完成することが期待される。
【００８３】
あるいは、図８（ａ）のような、画像の表示領域の区画に対して重畳表示領域が傾いて配置されているテンプレートの場合、図８（ｂ）のように傾きを考慮せずにそのままスルー画像を重畳領域に配置して表示してもよいし、図８（ｃ）のように傾きを考慮し、重畳領域の傾きとスルー画像の傾きとを適合させるようにスルー画像を重畳領域に配置して表示してもよい。図８（ｂ）のように傾きを考慮しない表示と、図８（ｃ）のように傾きを考慮した表示とは、操作部１２０の操作で切り替え可能にしてもよい。
【００８４】
なお、テンプレートに重畳されたスルー画像は実際の商材の質感を示していることが好ましい。例えば、Ｔシャツであれば、綿などの布の上に画像がプリントされたように、布の特性から生じる質感（しわや光沢など）を、テンプレートに重畳された画像に加える。布、紙、陶器、金属その他の物質の質感表現は、公知の画像処理で実現できる。この際、テンプレート自身に質感表現の情報（繊維束モデルなど）を格納しておくとよい。マグカップのような陶器であれば、上述したように仮想的３次元表示をする際、陶器の質感も表示するとよい。
【００８５】
ユーザが適宜のタイミングでレリーズスイッチ１０４を全押しし、本撮像指示をＣＰＵ２０に入力することで、記録用の静止画（ただし、これを動画のキャプチャ画像で置換してもよい）が取得され、メモリカード２００に記録される。
【００８６】
この際、記録された画像について、セピア調に変換するなどの色調補正、トリミング、拡大／縮小などの各種の編集処理の内容を、操作部１２０から受け付け、この指示に従って編集した画像をメモリカード２００に記録するか、あるいは指示された編集内容を示す編集情報を画像と対応づけてメモリカード２００に記録することもできる。つまり、編集情報が画像と対応づけられていれば足り、実際にカメラ１００で画像を編集・加工する必要はない。
【００８７】
Ｓ７では、記録された画像（存在すれば編集情報や、ズーム倍率などの撮影条件情報も）とＳ２で選択されたカメラ用テンプレートに対応するグッズ作成用テンプレートでグッズ注文をするか否かの確認入力を促す。操作部１２０から注文を出す旨が指示された場合はＳ９に進み、注文を出さない旨が指示された場合はＳ６に戻る。これにより、ユーザは、グッズの仕上がりを意識しながら撮影でき、グッズ作成に適した画像および編集内容が得られるまで、撮影と編集を繰り返すことができる。なお、図２のアルバムのテンプレートのように、複数の重畳表示領域がある場合は、その重畳表示領域の数だけ確認入力を促す。
【００８８】
Ｓ９では、Ｓ２で選択されたカメラ用テンプレートに対応づけてフラッシュメモリ１５２などに記憶されたテンプレートＩＤと、Ｓ６で記録された画像と、編集情報（存在する場合）とを含む注文情報を作成し、当該注文情報をＨＤＤ７５などに一時的に保存する。この注文情報は、画像とカメラ用テンプレートとが実際に合成された画像ではないため、総情報量はそのような合成画像に比べて少ない。
【００８９】
Ｓ１０では、注文情報の内容を確定してよいか否かの確認入力を促し、これを操作部１２０から受け付ける。注文情報の内容を確定する旨が入力された場合はＳ１１に進む。確認入力されない場合は確認入力があるかキャンセルが指示されるまで待機する。
【００９０】
なお、図２のアルバムのテンプレートのように、複数の重畳表示領域および複数の記録用画像がある場合は、各重畳表示領域に対応する画像をどれにするかにつき、確認入力を促す。ただし、各重畳表示領域を撮影順に対応づけておき、各記録用画像が得られるごとにその画像の撮影順に従って自動的に各重畳表示領域と対応づけてもよい。例えば図２のアルバムのテンプレートでは、１枚目の記録用画像はＺ２−１、２枚目の記録用画像はＺ２−２、・・、５枚目の記録用画像はＺ２−５に自動的に対応づけ、その対応でよいか否かの確認入力を促す。この後、ユーザによる操作部１２０の操作で重畳表示領域と画像の対応づけの順序を適宜変更してもよい。この重畳表示領域と画像の対応づけも、注文情報に含まれるものとする。
【００９１】
あるいは、テンプレートが複数の重畳表示領域を有している場合、一度に全ての記録用画像をテンプレートの各重畳表示領域に対応づけて表示するのではなく、撮影が１回１回終わるごとに得られた記録用画像を逐次テンプレートの重畳表示領域の各々にはめ込んでいき、かつ記録用画像のまだはめ込まれていない空白の重畳表示領域にはスルー画像をはめ込むとよい。例えば図２（ｂ）のテンプレートＴ２を用いる際、既に記録用画像が３枚得られた場合は、その３枚の記録用画像の各々を領域Ｚ２−１、領域Ｚ２−２、Ｚ２−３にはめ込み、スルー画像は４枚目の記録用画像に対応づけられる領域Ｚ２−４にはめ込み、これらの記録用画像およびスルー画像を同時に１画面に表示する。こうすることで、既に得られた記録用画像とこれから撮ろうとするシーンのスルー画像を同時にテンプレートにはめ込んで表示し、複数回に渡る撮影を続行しながら商品の仕上がりを具体的にイメージできる。
【００９２】
また、図８（ａ）のような重畳領域が傾いたテンプレートの場合、図８（ｄ）のように記録用画像の配置も重畳領域の傾きと合わせるようにする。図８（ｄ）のように傾きを考慮した記録用画像の配置と、傾きを考慮しない記録用画像の配置（図示せず）とは、操作部１２０の操作で切り替え可能にしてもよい。
【００９３】
Ｓ１１では、カメラ１００がいずれかのアクセスポイント７の通信範囲に入り、アクセスポイント７を認識できたか否かを判断する。アクセスポイント７の通信範囲に入った場合はＳ１２に進む。
【００９４】
Ｓ１２では、ＨＤＤ７５などに保存された注文情報を、注文サーバ３００に送信する。注文サーバは、カメラ１００から受信した注文情報を、注文ＤＢ３００ａに格納する。つまり、カメラ１００がアクセスポイント７の通信範囲に入ったら一括して注文情報が注文サーバ３００に送られる。ただし、カメラ１００がサーバ３００とＵＳＢ接続などで有線で常時接続されているような場合は、注文情報が発生する度に逐一注文情報をサーバ３００に送ってもよい。
【００９５】
なお、注文サーバ３００のアドレスは、紙やＷｅｂページなどの広告媒体でユーザに予め告知され、それが操作部１２０を介して指定されてもよいし、テンプレートサーバ４００からカメラ１００にカメラ用テンプレートがダウンロードされる際に一緒に通知されてもよい。
【００９６】
注文情報は、ネットワーク５経由で送信する必然性はなく、メモリカード２００その他のリムーバブルメディアに一旦格納され、そのメモリカード２００などを注文サーバ３００に接続して注文情報を読み込み、これを注文ＤＢ３００ａに格納してもよい。
【００９７】
その後、注文サーバ３００は、注文ＤＢ３００ａの注文情報に従ってプリント用の画像を作成する。これは、注文情報に含まれるテンプレートＩＤの付与されたグッズ作成用テンプレートを特定し、注文情報に含まれる画像と合成する。その際、グッズ作成用テンプレートの画像合成領域の位置は、カメラ用テンプレートの重畳表示領域の位置と対応している。また、注文情報に編集情報が含まれていれば、画像を編集情報に従って加工し、加工後の画像をグッズ作成用テンプレートと合成して、グッズ作成用の最終画像を作成する。その後、当該最終画像を、熱転写式プリンタやインクジェット式プリンタなどで素材にプリントし、グッズを完成させる。素材への画像のプリントの態様は任意であり、素材の材質に適したプリンタを用いてプリントすればよい。そして、完成したグッズは、デジタルカメラ１００のユーザあるいはその他指定された受取人に配送されるか、来店したユーザによって受け取られる。例えば配送先は、注文ＩＤと対応づけられたユーザ情報に含まれる住所とすることができる。
【００９８】
グッズ作成用の最終画像は即時にプリント出力する必要はない。すなわち、注文サーバ３００は、注文ＤＢ３００ａの注文情報に従って、グッズ作成用の最終画像を表示する電子アルバム（例えばアドビシステムズ社の「ＰＤＦ」のような電子的媒体）を作成してもよい。電子アルバムは、ディスプレイ５０や記録メディア４０やインターネット経由で接続されたパソコンなどに出力することもできる。要するに、作成された電子アルバムの出力先は、ディスプレイ５０、記録メディア４０、プリンタ４４、インターネットなど特定のものに限定されない。
【００９９】
以上説明した通り、ユーザは、画像の撮影から注文までをデジタルカメラ１００だけで完結することができるから、ユーザは、撮影をデジタルカメラ１００で実施し、編集時にデジタルカメラ１００からメモリカード２００を抜いてパソコンなどに差し込んでこれを読み取って編集処理を行い、注文情報を出力するという手間が省け、撮影からグッズ提供までの時間が短縮される。
【図面の簡単な説明】
【０１００】
【図１】グッズ注文システムの構成図
【図２】カメラ用テンプレートを例示した図
【図３】カメラ用テンプレートＤＢに格納される情報の概念説明図
【図４】注文ＤＢに格納される情報の概念説明図
【図５】デジタルカメラのブロック図
【図６】注文処理のフローチャート
【図７】カメラ用テンプレートにスルー画像が重畳されて液晶パネルに表示された様子を例示した図
【図８】重畳領域が傾いたテンプレートの一例を示す図
【符号の説明】
【０１０１】
５：ネットワーク、７：アクセスポイント、１００：デジタルカメラ、３００：注文サーバ、４００：テンプレートサーバ
【図１】
2009239486.tif 000003
【図２】
2009239486.tif 000004
【図３】
2009239486.tif 000005
【図４】
2009239486.tif 000006
【図５】
2009239486.tif 000007
【図６】
2009239486.tif 000008
【図７】
2009239486.tif 000009
【図８】
2009239486.tif 000010